(57)【特許請求の範囲】
【請求項１】
機体に装備させる肥料ホッパ内の残留肥料を排出する残留肥料取出口と、排出された肥料を留める案内体とを設けると共に、伸縮可能な肥料案内部材によって前記残留肥料取出口に前記案内体を接続させる構造であって、前記肥料案内部材は、蛇腹状のホース体と網目状のホース体を有し、前記蛇腹状のホース体を外側とし、前記網目状のホース体を内側とした二重構造に形成したことを特徴とする施肥機。
【発明の詳細な説明】
【０００１】
【発明の属する技術分野】
本発明は苗載台及び植付爪を備えて連続的に苗植作業を行う田植機にあって、植付条の側方に施肥を同時に行う施肥機に関する。
【０００２】
【発明が解決しようとする課題】
従来、肥料ホッパの残留肥料取出口の下方に肥料回収容器を配置させて、取出口のシャッタの開動作により自然落下する肥料を回収容器に回収しているが、排出作業時には排出される肥料が周辺に飛散したり、肥料ホッパ内の残留肥料を一回で回収容器に回収させるためには回収容器の容量も大きくなって、この場合回収容器の設置スペースも大きなものを必要とさせるなどの問題があった。
【０００３】
【課題を解決するための手段】
したがって本発明は、機体に装備させる肥料ホッパ内の残留肥料を排出する残留肥料取出口と、排出された肥料を留める案内体とを設けると共に、伸縮可能な肥料案内部材によって前記残留肥料取出口に前記案内体を接続させる構造であって、前記肥料案内部材は、蛇腹状のホース体と網目状のホース体を有し、前記蛇腹状のホース体を外側とし、前記網目状のホース体を内側とした二重構造に形成したもので、取出口から案内体への肥料排出中における周辺への肥料飛散を解消させて良好な肥料回収を可能にすると共に、たとえホッパ内の回収容量より案内体容量が小の場合でも、案内体満杯時に取出口の開閉シャッタをその都度閉とさせて案内体内の肥料を排出させる手間の煩わしさなく、シャッタの開動作を維持させたまま案内体内の肥料を肥料袋などに回収させる連続した肥料回収作業を可能にして、残留肥料の回収作業での能率向上を図るものである。
【０００４】
また、前記蛇腹状のホース体の蛇腹の隙間に肥料が付着し固定化するなどの不都合を前記網目状のホース体で防止し、ゴム材などで形成する蛇腹状ホース体の伸縮率と耐久性を向上させて、前記案内体を左右方向に自在に傾斜させ、この傾斜下端側から肥料を排出させる肥料排出作業の信頼性と能率の向上を図るものである。
【０００５】
【発明の実施の形態】
以下、本発明の実施例を図面に基づいて詳述する。図１は乗用田植機の側面図、図２は同平面図を示し、図中（１）は作業者が搭乗する走行機体である走行車であり、エンジン（２）を車体フレーム（３）前部上方に搭載させ、ミッションケース（４）前方にフロントアクスルケース（５）を介して水田走行用前輪（６）を支持させると共に、前記ミッションケース（４）の後部にリヤアクスルケース（７）を連設し、前記リヤアクスルケース（７）に車輪である水田走行用後輪（８）を支持させる。そして前記エンジン（２）等を覆うボンネット（９）両側に予備苗載台（１０）を取付けると共に、足掛台（１１）を介して作業者が搭乗する車体カバーであるステップ（１２）によって前記ミッションケース（４）等を覆い、前記ステップ（１２）上部に運転席（１３）を取付け、その運転席（１３）の前方で前記ボンネット（９）後部に操向ハンドル（１４）を設ける。
【０００６】
また、図中（１５）は６条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００７】
また、図中（２９）は主変速レバー、（３０）は植付昇降レバー、（３１）は植付け感度設定器、（３２）は主クラッチペダル、（３３）（３３）は左右ブレーキペダル、（３４）は２条分均平用センターフロート、（３５）は２条分均平用サイドフロート、（３６）は６条用の施肥装置である施肥機である。
【０００８】
さらに、図３、図４に示す如く、肥料を入れる肥料ホッパ（３７）と、肥料を供給する肥料繰出部である肥料繰出ケース（３８）と、フロート（３４）（３５）の側条作溝器（３９）にフレキシブル形搬送ホース（４０）を介して肥料を排出させるターボブロワー型送風機（４１）と、円筒形のエアタンク（４２）とを、前記施肥機（３６）に備えると共に、エアタンク（４２）右側端に送風機（４１）を取付け、６条分６組の肥料繰出ケース（３８）…をエアタンク（４２）上側に配設させている。
【０００９】
また、前記車体フレーム（３）後端の左右支柱（４３）上端間に横架する水平フレーム（４４）両側にベース取付板などを介して左右ベースフレーム（４５）を連結させ、前後方向に略水平な前記ベースフレーム（４５）後端部と車体フレーム（３）間にサイドステー（４６）を連結させ、左右ベースフレーム（４５）（４５）に立設させる施肥フレーム（４７）に施肥機（３６）を支持させている。
【００１０】
図６に示す如く、前記繰出ケース（３８）の上面前側の取入口（５０）に前記ホッパ（３７）の下部出口（５１）を嵌着させると共に、前記繰出ケース（３８）前面下側に残留肥料取出口（５２）を形成し、該取出口（５２）を開閉シャッタ（５３）によって常時は閉塞している。
【００１１】
また、前記繰出ケース（３８）下面に前傾状（上端側が前、下端側が後方向に傾斜）の底蓋（５４）を着脱自在に固定させると共に、硬質合成樹脂製で漏斗形（逆円錐形）の前記底蓋（５４）下部にジョイント部（５５）を一体形成し、底蓋（５４）とジョイント部（５５）を小さな口面積の出口（５６）を介して連通させ、前記エアタンク（４２）に前端を嵌着させる接合パイプ（５７）後端にジョイント部（５５）前端を連結接続させると共に、ジョイント部（５５）後端に搬送ホース（４０）を嵌着させ、前記送風機（４１）からの空気をエアタンク（４２）からジョイント部（５５）及びホース（４０）に吹出させ、底蓋（５４）の出口（５６）からジョイント部（５５）中間に落下する肥料をホース（４０）を介し作溝器（３９）位置まで空気搬送するように構成している。
【００１２】
さらに、取入口（５８）を有する入口板（５９）と、同一円周上に複数の繰出口（６０）…を有する繰出板（６１）と、排出口（６２）を有する出口板（６３）を備え、略円形平板製の前記各板（５９）（６１）（６３）を繰出ケース（３８）と底蓋（５４）の間に前傾且つ多層状に配設させると共に、繰出ケース（３８）の後側に繰出軸（６４）を前傾姿勢で回転自在に軸支させ、各板（５９）（６１）（６３）の中央部に繰出軸（６４）下端側を貫通させ、入口板（５９）と出口板（６３）を繰出ケース（３８）に係止させ、各板（５９）（６３）に対して繰出軸（６４）を遊転させると共に、繰出板（６１）を繰出軸（６４）に係合軸支させ、繰出軸（６４）によって繰出板（６１）を強制的に回転させ、取入口（５８）から繰出口（６０）に入った肥料を排出口（６２）に移動させて出口（５６）方向に落下させるように構成している。
【００１３】
図３乃至図６に示す如く、前記肥料ホッパ（３７）内の残留肥料を一時的に留める案内部材（６５）を断面円形で左右に長手の円筒形に形成して、ステップ（１２）後端上面の受台（６６）に持上げ自在に載置させるもので、ホッパ（３７）の残留肥料取出口（５２）に締結バンド（６７）を介し伸縮可能な筒状肥料案内部材（６８）の一端側を接続固定させると共に、案内体（６５）に嵌着させる接合パイプ（６９）に案内部材（６８）の他端側を締結バンド（６７）を介し接続固定させて、肥料ホッパ（３７）の残留肥料を案内部材（６８）を介し案内体（６５）に排出貯留するように構成している。
【００１４】
前記案内体（６５）は左右両側に２つ配設して、左右各３条分のホッパ（３７）の残留肥料を左右案内体（６５ａ）（６５ｂ）にそれぞれ排出させるもので、左右案内体（６５ａ）（６５ｂ）の左右単体長さは左右３条分のホッパ（３７）の左右外側幅と略同一に形成し、前記エアタンク（４２）前方の略同一高さ位置に略平行に配設して、前記取出口（５２）からの残留肥料を案内部材（６８）を介し左右案内体（６５ａ）（６５ｂ）に自然流下させるように構成している。
【００１５】
前記案内部材（６８）は外側をゴム製のホース体である蛇腹ホース（７０）で伸縮自在に形成すると共に、蛇腹ホース（７０）の内側に肥料粒の漏出しない伸縮自在なホース体である細目網ホース（７１）を設けて二重筒構造に形成するもので、蛇腹ホース（７０）の両端円筒内面に網ホース（７１）の両端円筒外面を固着させ、これら中間部を遊合状態とさせて、蛇腹ホース（７０）の内側隙間に肥料が付着し固定化するなどして伸縮性が悪化するのを解消させ、強度・耐久性を向上させると共に、防水・肥料粉洩れなどを防止するように構成している。
【００１６】
そして図５に示す如く、左右案内体（６５ａ）（６５ｂ）は外側端側を開放して肥料排出口（７２）に形成し、常時は盲蓋（７３）で排出口（７２）を閉塞すると共に、外側面に把手（７４）を適宜一体固設して、残留肥料の取出し作業時には、前記受台（６６）に略水平保持する案内体（６５ａ）（６５ｂ）内に取出口（５２）からの肥料を自然流下させ、案内体（６５ａ）（６５ｂ）内に残留肥料取出し後は、蓋（７３）を開放し把手（７４）により案内体（６５ａ）（６５ｂ）の内側端側を持上げて、外側に向け下り勾配に傾斜させて肥料袋（７５）に肥料を回収するように構成している。
【００１７】
また、肥料ホッパ（３７）の貯留容量より左右案内体（６５ａ）（６５ｂ）の貯留容量が小さく、残留肥料の取出し時において案内体（６５ａ）（６５ｂ）内が肥料満杯状態になるときにも、シャッタ（５３）の開を保持させたまま、案内体（６５ａ）（６５ｂ）の水平及び傾斜を肥料の排出が完了するまで繰返し行うことによって、容易に可能とさせることができる。
【００１８】
上記からも明らかなように、機体（１）に装備させる肥料ホッパ（３７）内の残留肥料を排出する残留肥料取出口（５２）と、排出された肥料を留める案内体（６５）とを設けると共に、前記取出口（５２）と案内体（６５）とを伸縮可能な肥料案内部材（６８）で接続させたもので、取出口（５２）から案内体（６５）への肥料排出中における周辺への肥料飛散を解消させて良好な肥料回収を可能とさせると共に、たとえホッパ（３７）内の回収容量より案内体（６５）容量が小の場合でも、案内体（６５）満杯時に取出口（５２）の開閉シャッタ（５３）をその都度閉とさせて案内体（６５）内の肥料を排出させる手間の煩わしさなく、シャッタ（５３）の開動作を維持させたまま連続して案内体（６５）内の肥料を肥料袋（７５）などに回収可能とさせて、残留肥料の回収作業での能率向上化を図ることができる。
【００１９】
また、肥料案内部材（６８）は外側を蛇腹ホース（７０）で、内側を網ホース（７１）の二重構造に設けたもので、蛇腹ホース（７０）内側の隙間に肥料が付着し固定化するなどの不都合を細目網ホース（７１）で防止し、ゴム材などで形成する蛇腹ホース（７０）の伸縮率と耐久性を向上させると共に、案内体（６５）を左右方向に自在に傾斜させこの傾斜下端側より肥料を排出させる肥料排出作業の信頼性と能率の向上化を図ることができる。
【００２０】
図８、図９に示すものは、案内体（６５）を断面４角形で左右に長手の４角筒案内体（６５ｃ）に形成し、運転席（１３）と肥料ホッパ（３７）間で機体（１）側に垂直に固設する油圧或いは空圧昇降シリンダ（７６）のピストンロッド（７７）先端に受台（７８）を固設させ、該受台（７８）に持上げ且つ回動自在に案内体（６５ｃ）を保持させて、肥料ホッパ（３７）の肥料補給時にはピストンロッド（７７）の伸張によって前記案内体（６５ｃ）をホッパ（３７）より上方まで上昇させて、案内体（６５ｃ）の上面を補給用肥料袋（７９）を載置する載置台に活用して、肥料補給作業の能率向上化を図るように構成している。なおこの場合案内体（６５ｃ）と案内部材（６８）との接続位置関係は、肥料取出し時のままだとホッパ（３７）などに干渉するため、案内体（６５ｃ）上昇時には受台（７８）による案内体（６５ｃ）の保持位置を変更させるものである。
【００２１】
また図１０に示すものは、円筒形或いは４角筒形の左右案内体（６５ａ）（６５ｂ）の両端側を２本の左右昇降シリンダ（７６ａ）（７６ｂ）のピストンロッド（７７ａ）（７７ｂ）にそれぞれ昇降自在に保持させて、ピストンロッド（７７ａ）（７７ｂ）退入時の左右案内体（６５ａ）（６５ｂ）の水平保持時に該案内体（６５ａ）（６５ｂ）内に残留肥料の取出しを行う一方、内側端側の昇降シリンダ（７６ａ）或いは（７６ｂ）のピストンロッド（７７ａ）或いは（７７ｂ）を伸張させるとき、案内体（６５ａ）（６５ｂ）を外側下り勾配に傾斜させて、案内体（６５ａ）（６５ｂ）内の肥料を肥料袋（７５）に自動で回収するように構成している。
【００２２】
図１１に示すものは、前記取出口（５２）に容器口（８０）を接続させる密閉箱形の案内体であるタンク式回収容器（８１）を設け、該容器（８１）の一側面を伸縮自在な蛇腹側壁（８２）に形成すると共に、該蛇腹側壁（８２）に当接させて側壁（８２）を容器（８１）内側位置まで進入させる肥料収容操作具（８３）を設けて、残留肥料取出し時にあって、容器（８１）内の容器口（８０）周辺に貯留する肥料を操作具（８３）で容器口（８０）より離れた容器空間部（８１ａ）まで押圧移動させて、容器（８１）の実質容量を増大させるように構成している。
【００２３】
【発明の効果】
以上実施例から明らかなように本発明は、機体（１）に装備させる肥料ホッパ（３７）内の残留肥料を排出する残留肥料取出口（５２）と、排出された肥料を留める案内体（６５）とを設けると共に、伸縮可能な肥料案内部材（６８）によって前記残留肥料取出口（５２）に前記案内体（６５）を接続させる構造であって、前記肥料案内部材（６８）は、蛇腹状のホース体（７０）と網目状のホース体（７１）を有し、前記蛇腹状のホース体（７０）を外側とし、前記網目状のホース体（７１）を内側とした二重構造に形成したものであるから、取出口（５２）から案内体（６５）への肥料排出中における周辺への肥料飛散を解消させて良好な肥料回収を可能にすると共に、たとえホッパ（３７）内の回収容量より案内体（６５）容量が小の場合でも、案内体（６５）満杯時に取出口（５２）の開閉シャッタ（５３）をその都度閉とさせて案内体（６５）内の肥料を排出させる手間の煩わしさなく、シャッタ（５３）の開動作を維持させたまま案内体（６５）内の肥料を肥料袋（７５）などに回収させる連続した肥料回収作業を可能にして、残留肥料の回収作業での能率向上を図ることができるものである。
【００２４】
また、前記蛇腹状のホース体（７０）の蛇腹の隙間に肥料が付着し固定化するなどの不都合を前記網目状のホース体（７１）で防止し、ゴム材などで形成する前記蛇腹状ホース体（７０）の伸縮率と耐久性を向上させて、案内体（６５）を左右方向に自在に傾斜させて、この傾斜下端側から肥料を排出させる肥料排出作業の信頼性と能率の向上を図ることができるものである。
【図面の簡単な説明】
【図１】田植機の全体側面図。
【図２】田植機の全体平面図。
【図３】植付部の側面図。
【図４】施肥部の正面説明図。
【図５】案内体の肥料回収説明図。
【図６】肥料ホッパの肥料回収説明図。
【図７】肥料案内部材の説明図。
【図８】案内体の昇降側面説明図。
【図９】案内体の昇降正面説明図。
【図１０】案内体の傾斜説明図。
【図１１】タンク式回収容器の説明図。
【符号の説明】
（１） 走行車（機体）
（３７） ホッパ
（５２） 取出口
（６５） 案内体
（６８） 肥料案内部材
（７０） 蛇腹ホース（ホース体）
（７１） 網ホース（ホース体）
【図１】
0004510262.tif 000002
【図２】
0004510262.tif 000003
【図３】
0004510262.tif 000004
【図４】
0004510262.tif 000005
【図５】
0004510262.tif 000006
【図６】
0004510262.tif 000007
【図７】
0004510262.tif 000008
【図８】
0004510262.tif 000009
【図９】
0004510262.tif 000010
【図１０】
0004510262.tif 000011
【図１１】
0004510262.tif 000012